(57)【要約】【課題】種類に応じ、適切な力でレンズ鏡筒を付勢できるカメラシステム、カメラ及びレンズ鏡筒を提供する。【解決手段】本発明のカメラシステムは、カメラ（１００）に装着可能であり、その装着に用いられるレンズ側爪部（２０３）を有するレンズ鏡筒（２００）と、前記レンズ側爪部（２０３）が前記レンズ鏡筒（２００）の種類によらず共通に係合されるカメラ側爪部（１０３）、及び、前記レンズ側爪部（２０３）と前記カメラ側爪部（１０３）とが掛合した状態で前記レンズ鏡筒（２００）と前記カメラ（１００）との間の締結が強くなる方向に前記レンズ鏡筒（２００）を付勢する付勢手段（１０８）を有するカメラ（１００）と、を備え、前記付勢手段（１０８）の付勢力は、前記レンズ鏡筒（２００）の種類に応じて変更可能であること、を特徴とする。【選択図】図１
2010066580.tif 000002
【特許請求の範囲】
【請求項１】
カメラに装着可能であり、その装着に用いられるレンズ側爪部を有するレンズ鏡筒と、
前記レンズ側爪部が前記レンズ鏡筒の種類によらず共通に係合されるカメラ側爪部、及び、前記レンズ側爪部と前記カメラ側爪部とが掛合した状態で前記レンズ鏡筒と前記カメラとの間の締結が強くなる方向に前記レンズ鏡筒を付勢する付勢手段を有するカメラと、を備え、
前記付勢手段の付勢力は、前記レンズ鏡筒の種類に応じて変更可能であること、
を特徴とするカメラシステム。
【請求項２】
請求項１に記載のカメラシステムであって、
前記付勢手段は、前記レンズ鏡筒を前記カメラから離れる方向に付勢すること、
を特徴とするカメラシステム。
【請求項３】
請求項１又は２に記載のカメラシステムであって、
前記付勢手段は複数の付勢部材を有し、
前記カメラに装着された前記レンズ鏡筒に応じて、そのレンズ鏡筒の種類に応じた数の付勢部材が、前記複数の付勢部材の中から選択されること、
を特徴とするカメラシステム。
【請求項４】
請求項３に記載のカメラシステムであって、
複数の前記付勢部材は、カメラ側マウント部において光軸を中心とした円周上に均等に配置され、
前記付勢に寄与する前記付勢部材は、前記複数の付勢部材のうちから円周上に均等になるように選択されること、
を特徴とするカメラシステム。
【請求項５】
請求項１又は２に記載のカメラシステムであって、
前記付勢手段は複数の付勢部材を有し、
前記レンズ鏡筒は、レンズ側マウント部における前記付勢部材に対応した位置に、光軸方向に突出した被付勢部材が設けられ、
該被付勢部材の光軸方向の突出高さが、前記レンズ鏡筒の種類に応じて異なること、
を特徴とするカメラシステム。
【請求項６】
請求項１又は２に記載のカメラシステムであって、
前記カメラに設けられた前記付勢手段は、互いに異なる付勢力を有する複数の群のいずれかに分類される複数の付勢部材を有し、
前記カメラに装着された前記レンズ鏡筒に応じて、そのレンズ鏡筒の種類に応じた群の付勢部材が、前記複数の群の付勢部材の中から選択されること、
を特徴とするカメラシステム。
【請求項７】
請求項６に記載のカメラシステムであって、
前記付勢部材は、カメラ側マウント部において、前記群ごとに光軸を中心とした径の異なる円周上に配置されていること、
を特徴とするカメラシステム。
【請求項８】
レンズ側爪部が設けられたレンズ鏡筒が装着可能なカメラであって、
前記レンズ側爪部が掛合するカメラ側爪部、及び、前記レンズ側爪部と前記カメラ側爪部とが掛合した状態で前記レンズ鏡筒と前記カメラとの間の締結が強くなる方向に前記レンズ鏡筒を付勢する付勢手段を有し、
前記レンズ鏡筒の種類に応じて、前記付勢手段の付勢力が変更されること、
を特徴とするカメラ。
【請求項９】
請求項８に記載のカメラであって、
前記付勢手段は、前記レンズ鏡筒を前記カメラから離れる方向に付勢すること、
を特徴とするカメラ。
【請求項１０】
請求項８又は９に記載のカメラであって、
前記付勢手段は複数の付勢部材を有し、
装着されたレンズ鏡筒の種類に応じた数の付勢部材が、前記複数の付勢部材の中から選択されること、
を特徴とするカメラ。
【請求項１１】
請求項１０に記載のカメラであって
前記付勢部材は、カメラ側マウント部において光軸を中心とした円周上に均等に配置され、
前記付勢に寄与する前記付勢部材は、前記複数の付勢部材のうちから円周上に均等になるように選択されること、
を特徴とするカメラ。
【請求項１２】
請求項８又は９に記載のカメラであって、
前記付勢手段は、互いに異なる付勢力を有する複数の群のいずれかに分類される複数の付勢部材を有し、
前記カメラに装着される前記レンズ鏡筒の種類に応じた群の付勢部材が、前記複数の付勢部材の中から選択されること、
を特徴とするカメラ。
【請求項１３】
請求項１２に記載のカメラであって、
前記付勢部材は、カメラ側マウント部において、前記群ごとに光軸を中心として径の異なる円周上に配置されていること、
を特徴とするカメラ。
【請求項１４】
レンズ鏡筒に設けられたレンズ側爪部が掛合するカメラ側爪部、及び、前記レンズ側爪部と前記カメラ側爪部とが掛合した状態で前記レンズ鏡筒との間の締結が強くなる方向に前記レンズ鏡筒を付勢する付勢手段を有するカメラに装着されるレンズ鏡筒であって、
前記レンズ鏡筒の種類に応じて、前記付勢手段の付勢力を変更させること、
を特徴とするレンズ鏡筒。
【請求項１５】
請求項１４に記載のレンズ鏡筒であって、
前記付勢手段により、前記カメラから離れる方向に付勢されること、
を特徴とするレンズ鏡筒。
【請求項１６】
請求項１４又は１５に記載のレンズ鏡筒であって、
前記付勢手段は複数の付勢部材を有し、
前記レンズ鏡筒の種類に応じた数の付勢部材を、前記複数の付勢部材の中から選択すること、
を特徴とするレンズ鏡筒。
【請求項１７】
請求項１６に記載のレンズ鏡筒であって、
前記付勢部材はカメラ側マウント部において光軸を中心とした円周上に均等に配置され、
前記レンズ鏡筒は、レンズ側マウント部おいて、光軸を中心とし、且つ前記付勢部材が配置された円周と同じ径を有する円周上に均等に配置された、光軸方向に突出する被付勢部材を有し、
前記被付勢部材の数は、レンズ鏡筒の種類ごとに異なること、
を特徴とするレンズ鏡筒。
【請求項１８】
請求項１４又は１５に記載のレンズ鏡筒であって、
前記付勢手段は複数の付勢部材を有し、
前記レンズ鏡筒は、レンズ側マウント部における前記付勢部材に対応した位置に、光軸方向に突出した被付勢部材を有し、
該被付勢部材の光軸方向の突出高さが、前記レンズ鏡筒の種類に応じて異なること、
を特徴とするレンズ鏡筒。
【請求項１９】
請求項１４又は１５に記載のレンズ鏡筒であって、
前記カメラに設けられた前記付勢手段は、互いに異なる付勢力を有する複数の群のいずれかに分類される複数の付勢部材を有し、
前記レンズ鏡筒の種類に応じた群の付勢部材を、前記複数の群の付勢部材の中から選択すること、
を特徴とするレンズ鏡筒。
【請求項２０】
請求項１９に記載のレンズ鏡筒であって、
前記付勢部材は、カメラ側マウント部において、前記群ごとに光軸を中心とした径の異なる円周上に配置され、
前記レンズ鏡筒は、レンズ側マウント部において、光軸を中心とした円周上に均等に配置された、光軸方向に突出する被付勢部材を有し、
該被付勢部材が配置されている円周の径は、レンズ鏡筒の種類によっていずれかの群の前記付勢部材と同じ径を有すること、
を特徴とするレンズ鏡筒。
【発明の詳細な説明】
【技術分野】
【０００１】
本発明は、カメラとレンズ鏡筒とを備えるカメラシステム、そのカメラ及びそのレンズ鏡筒に関するものである。
【背景技術】
【０００２】
従来、カメラとレンズ鏡筒とを備えるカメラシステムにおいて、レンズ鏡筒にはレンズ側爪部が設けられ、カメラ側にはそのレンズ側爪部が掛合するカメラ側爪部が設けられている。そしてカメラには、レンズ側爪部とカメラ側爪部とが掛合した状態でレンズ鏡筒とカメラとの間の締結が強くなるように、レンズ鏡筒をカメラから離れる方向に付勢する付勢部材が設けられているものがある（例えば、特許文献１参照）。
【特許文献１】特開２００４−１０２００５号公報
【発明の開示】
【発明が解決しようとする課題】
【０００３】
しかし、カメラ側の付勢力が一定の場合、例えば短くて軽いレンズ鏡筒に対しては十分な付勢力であっても、長くて重いレンズ鏡筒に対しては、マウント部に加わるモーメントの関係レンズ鏡筒が傾きやすくなるため、締結力が不十分となる可能性がある。また、太いレンズと細いレンズにおいて一定の力でレンズ鏡筒を回転させた場合、太いレンズ鏡筒は、半径が大きいため回転モーメントが大きくなり回転が容易に感じるが、小さいレンズ鏡筒は半径が小さいため回転モーメントが小さくなり回転しにくく感じる。
【０００４】
本発明は、レンズ鏡筒の種類に応じ、適切な力でレンズ鏡筒を付勢できるカメラシステム、カメラ及びレンズ鏡筒を提供することである。
【課題を解決するための手段】
【０００５】
本発明は、以下のような解決手段により前記課題を解決する。なお、理解を容易にするために、本発明の実施形態に対応する符号を付して説明するが、これに限定されるものではない。
【０００６】
請求項１に記載の発明は、カメラ（１００，４００）に装着可能であり、その装着に用いられるレンズ側爪部（２０３，５０３）を有するレンズ鏡筒（２００，３００，５００）と、前記レンズ側爪部（２０３，５０３）が前記レンズ鏡筒の種類によらず共通に係合されるカメラ側爪部（１０３，４０３）、及び、前記レンズ側爪部（２０３，５０３）と前記カメラ側爪部（１０３，４０３）とが掛合した状態で前記レンズ鏡筒（２００，３００，５００）と前記カメラ（１００，４００）との間の締結が強くなる方向に前記レンズ鏡筒（２００，３００，５００）を付勢する付勢手段（１０８，４０８）を有するカメラ（１００，４００）と、を備え、前記付勢手段（１０８，４０８）の付勢力は、前記レンズ鏡筒（２００，３００，５００）の種類に応じて変更可能であること、を特徴とするカメラシステム（１）である。
請求項２に記載の発明は、請求項１に記載のカメラシステム（１）であって、前記付勢手段（１０８，４０８）は、前記レンズ鏡筒（２００，３００，５００）を前記カメラ（１００，４００）から離れる方向に付勢すること、を特徴とするカメラシステム（１）である。
請求項３に記載の発明は、請求項１又は２に記載のカメラシステム（１）であって、前記付勢手段は複数の付勢部材（１０８）を有し、前記カメラ（１００）に装着された前記レンズ鏡筒（２００）に応じて、そのレンズ鏡筒の種類に応じた数の付勢部材（１０８）が、前記複数の付勢部材（１０８）の中から選択されること、を特徴とするカメラシステム（１）である。
請求項４に記載の発明は、請求項３に記載のカメラシステム（１）であって、複数の前記付勢部材（１０８）は、カメラ側マウント部（１０１）において光軸を中心とした円周上に均等に配置され、前記付勢に寄与する前記付勢部材（１０８）は、前記複数の付勢部材（１０８）のうちから円周上に均等になるように選択されること、を特徴とするカメラシステム（１）である。
請求項５に記載の発明は、請求項１又は２に記載のカメラシステム（１）であって、前記付勢手段は複数の付勢部材（１０８）を有し、前記レンズ鏡筒（３００）は、レンズ側マウント部（３０１）における前記付勢部材（１０８）に対応した位置に、光軸方向に突出した被付勢部材（３０９）が設けられ、該被付勢部材（３０９）の光軸方向の突出高さが、前記レンズ鏡筒（３００）の種類に応じて異なること、を特徴とするカメラシステム（１）である。
請求項６に記載の発明は、請求項１又は２に記載のカメラシステム（１）であって、前記カメラ（４００）に設けられた前記付勢手段は、互いに異なる付勢力を有する複数の群のいずれかに分類される複数の付勢部材（４０８）を有し、前記カメラ（４００）に装着された前記レンズ鏡筒（５００）に応じて、そのレンズ鏡筒の種類に応じた群の付勢部材（４０８）が、前記複数の群の付勢部材（４０８）の中から選択されること、を特徴とするカメラシステム（１）である。
請求項７に記載の発明は、請求項６に記載のカメラシステム（１）であって、前記付勢部材（４０８）は、カメラ側マウント部（４０１）において、前記群ごとに光軸を中心とした径の異なる円周上に配置されていること、を特徴とするカメラシステム（１）である。
【０００７】
請求項８に記載の発明は、レンズ側爪部（２０３，５０３）が設けられたレンズ鏡筒（２００，３００，５００）が装着可能なカメラ（１００，４００）であって、前記レンズ側爪部（２０３，５０３）が掛合するカメラ側爪部（１０３，４０３）、及び、前記レンズ側爪部（２０３，５０３）と前記カメラ側爪部（１０３，４０３）とが掛合した状態で前記レンズ鏡筒（２００，３００，５００）と前記カメラ（１００，４００）との間の締結が強くなる方向に前記レンズ鏡筒（２００，３００，５００）を付勢する付勢手段（１０８，４０８）を有し、前記レンズ鏡筒（２００，３００，５００）の種類に応じて、前記付勢手段（１０８，４０８）の付勢力が変更されること、を特徴とするカメラ（１００，４００）である。
請求項９に記載の発明は、請求項８に記載のカメラ（１００，４００）であって、前記付勢手段（１０８，４０８）は、前記レンズ鏡筒（２００，３００，５００）を前記カメラ（１００，４００）から離れる方向に付勢すること、
を特徴とするカメラ（１００，４００）である。
請求項１０に記載の発明は、請求項８又は９に記載のカメラ（１００）であって、前記付勢手段は複数の付勢部材（１０８）を有し、装着されたレンズ鏡筒（２００）の種類に応じた数の付勢部材（１０８）が、前記複数の付勢部材（１０８）の中から選択されること、を特徴とするカメラ（１００）である。
請求項１１に記載の発明は、請求項１０に記載のカメラ（１００）であって
前記付勢部材（１０８）は、カメラ側マウント部（１０１）において光軸を中心とした円周上に均等に配置され、前記付勢に寄与する前記付勢部材（１０８）は、前記複数の付勢部材（１０８）のうちから円周上に均等になるように選択されること、を特徴とするカメラ（１００）である。
請求項１２に記載の発明は、請求項８又は９に記載のカメラ（４００）であって、前記付勢手段は、互いに異なる付勢力を有する複数の群のいずれかに分類される複数の付勢部材（４０８）を有し、前記カメラ（４００）に装着される前記レンズ鏡筒（５００）の種類に応じた群の付勢部材（４０８）が、前記複数の付勢部材（４０８）の中から選択されること、を特徴とするカメラ（４００）である。
請求項１３に記載の発明は、請求項１２に記載のカメラ（４００）であって、前記付勢部材（４０８）は、カメラ側マウント部（４０１）において、前記群ごとに光軸を中心として径の異なる円周上に配置されていること、を特徴とするカメラ（４００）である。
【０００８】
請求項１４に記載の発明は、レンズ鏡筒（２００，３００，５００）に設けられたレンズ側爪部（２０３，５０３）が掛合するカメラ側爪部（１０３，４０３）、及び、前記レンズ側爪部（２０３，５０３）と前記カメラ側爪部（１０３，４０３）とが掛合した状態で前記レンズ鏡筒（２００，３００，５００）との間の締結が強くなる方向に前記レンズ鏡筒（２００，３００，５００）を付勢する付勢手段（１０８，４０８）を有するカメラ（１００，４００）に装着されるレンズ鏡筒（２００，３００，５００）であって、前記レンズ鏡筒（２００，３００，５００）の種類に応じて、前記付勢手段（１０８，４０８）の付勢力を変更させること、を特徴とするレンズ鏡筒（２００，３００，５００）である。
請求項１５に記載の発明は、請求項１４に記載のレンズ鏡筒（２００，３００，５００）であって、前記付勢手段（１０８，４０８）により、前記カメラ（１００，４００）から離れる方向に付勢されること、を特徴とするレンズ鏡筒（２００，３００，５００）である。
請求項１６に記載の発明は、請求項１４又は１５に記載のレンズ鏡筒（２００）であって、前記付勢手段は複数の付勢部材（１０８）を有し、前記レンズ鏡筒（２００）の種類に応じた数の付勢部材（１０８）を、前記複数の付勢部材（１０８）の中から選択すること、を特徴とするレンズ鏡筒（２００）である。
請求項１７に記載の発明は、請求項１６に記載のレンズ鏡筒（２００）であって、前記付勢部材（１０８）はカメラ側マウント部（１０１）において光軸を中心とした円周上に均等に配置され、前記レンズ鏡筒（２００）は、レンズ側マウント部（２０１）おいて、光軸を中心とし、且つ前記付勢部材（１０８）が配置された円周と同じ径を有する円周上に均等に配置された、光軸方向に突出する被付勢部材（２０９）を有し、前記被付勢部材（２０９）の数は、レンズ鏡筒（２００）の種類ごとに異なること、を特徴とするレンズ鏡筒（２００）である。
請求項１８に記載の発明は、請求項１４又は１５に記載のレンズ鏡筒（３００）であって、前記付勢手段は複数の付勢部材（１０８）を有し、前記レンズ鏡筒（３００）は、レンズ側マウント部（３０１）における前記付勢部材（１０８）に対応した位置に、光軸方向に突出した被付勢部材（３０９）を有し、該被付勢部材（３０９）の光軸方向の突出高さが、前記レンズ鏡筒（３００）の種類に応じて異なること、を特徴とするレンズ鏡筒（３００）である。
請求項１９に記載の発明は、請求項１４又は１５に記載のレンズ鏡筒（５００）であって、前記カメラ（４００）に設けられた前記付勢手段は、互いに異なる付勢力を有する複数の群のいずれかに分類される複数の付勢部材（４０８）を有し、前記レンズ鏡筒（５００）の種類に応じた群の付勢部材（４０８）を、前記複数の群の付勢部材（４０８）の中から選択すること、を特徴とするレンズ鏡筒（５００）である。
請求項２０に記載の発明は、請求項１９に記載のレンズ鏡筒（５００）であって、前記付勢部材は、カメラ側マウント部（４０１）において、前記群ごとに光軸を中心とした径の異なる円周上に配置され、前記レンズ鏡筒（５００）は、レンズ側マウント部（５０１）において、光軸を中心とした円周上に均等に配置された、光軸方向に突出する被付勢部材（５０９）を有し、該被付勢部材（５０９）が配置されている円周の径は、レンズ鏡筒（５００）の種類によっていずれかの群の前記付勢部材（４０８）と同じ径を有すること、を特徴とするレンズ鏡筒（５００）である。
なお、符号を付して説明した構成は、適宜改良してもよく、また、少なくとも一部を他の構成物に代替してもよい。
【発明の効果】
【０００９】
本発明によれば、レンズ鏡筒の種類に応じ、適切な力でレンズ鏡筒を付勢できるカメラシステム、カメラ及びレンズ鏡筒を提供することができる。
【発明を実施するための最良の形態】
【００１０】
以下、図面等を参照して、本発明の実施形態について説明する。なお、以下に示す各図には、説明と理解を容易にするために、ＸＹＺ直交座標系を設けた。この座標系では、撮影者が光軸Ａを水平として横長の画像を撮影する場合のカメラの位置（以下、正位置という）において撮影者から見て左側に向かう方向をＸプラス方向とする。また、正位置において上側に向かう方向をＹプラス方向とする。さらに、正位置において被写体に向かう方向をＺプラス方向とする。
【００１１】
（第１実施形態）
図１は、カメラ１００と、カメラ１００に対して着脱可能な交換式レンズ鏡筒２００とを備えるカメラシステム１のマウント部の断面図である。なお、本実施形態においてカメラ１００には複数種類のレンズ鏡筒２００が着脱可能である。図２はカメラ側マウント部１０１の部分正面図（Zプラス側から見た図）である。なお、図１は図２のＩ−Ｉ線に沿った方向の断面である。また、図３は、レンズ側マウント部２０１の背面図（Zマイナス側から見た図）である。図３（ａ）及び図３（ｂ）は、上述の複数種類のレンズ鏡筒２００における、互いに異なる第１レンズ鏡筒２００Ａ及び第２レンズ鏡筒２００Ｂの背面図である。
【００１２】
まず、カメラ側マウント部１０１について説明する。図１及び図２に示すように、カメラ側マウント部１０１は、カメラ１００の前面（Ｚプラス側面）においてZマイナス側に窪んで形成されている。カメラ側マウント部１０１は、カメラ側マウント基部１０２、カメラ側爪部１０３、バネ部１０４を備えたバヨネット式のマウントである。
【００１３】
カメラ側マウント基部１０２は、カメラ側マウント部１０１のＺマイナス側に窪んだ凹部の底面に配置された円環部材である。その中央部には、被写体光が通過するカメラ側マウント開口部１０５が形成されている。
【００１４】
カメラ側爪部１０３は、凹部の側面の内周面から内径側に突き出して形成され、略等しい間隔で、複数（例えば、３つ）設けられている。カメラ側爪部１０３は、カメラ１００にレンズ鏡筒２００が装着された状態において、後述するレンズ鏡筒２００のレンズ側マウント部２０１に備えられたレンズ側爪部２０３に掛合することによって、カメラ１００とレンズ鏡筒２００との光軸Ａ方向への相対移動を制限するものである。
【００１５】
バネ部１０４は、カメラ側マウント基部１０２において光軸Ａを中心とした円周上に６箇所設けられている。バネ部１０４は、カメラ側マウント基部１０２に貫通して設けられた矩形のバネ開口部１０７と、そのバネ開口部１０７を挿通して取り付けられた板バネ１０８とを備える。
【００１６】
板バネ１０８は、図１に示すように、長方形の板部材を折り曲げて形成されたものである。その板バネ１０８の一端側はカメラ側マウント基部１０２のＺマイナス側にねじ１０９で固定されている。また、板バネ１０８の他端側は、バネ開口部１０７をＺプラス側に延びてカメラ側マウント基部１０２のＺプラス側面よりもさらにＺプラス側に突き出している。
【００１７】
そのＺプラス側に突き出した部分は、レンズ鏡筒２００がカメラ１００に装着された状態で、レンズ鏡筒２００のレンズ側マウント部２０１に備えられた後述するバネ受け部２０９と当接し、レンズ鏡筒２００をＺプラス（光軸方向被写体側）に付勢する。この付勢によって、カメラ側爪部１０３のＺマイナス側の面であるカメラ側マウント面１０３ａとレンズ側爪部２０３のＺプラス側の面であるレンズ側マウント面２０３ａとを当接させてレンズ鏡筒２００とカメラ１００との光軸方向のガタ付きを抑制する。
【００１８】
次に、図１及び図３を参照してレンズ鏡筒２００のマウント部について説明する。レンズ側マウント部２０１は、レンズ鏡筒２００の光軸方向カメラ側（Ｚマイナス側）の端部に設けられている。
【００１９】
レンズ鏡筒２００のレンズ側マウント部２０１は、レンズ側マウント基部２０２、レンズ側爪部２０３を備える。レンズ側マウント基部２０２は、レンズ鏡筒２００のＺマイナス側に設けられた円環状の部分であり、その中央部には、被写体光を通過させるためのレンズ側マウント開口部２０５が形成されている。
【００２０】
レンズ側爪部２０３は、レンズ側マウント基部２０２の外周面からレンズ鏡筒２００の径方向外側に突き出して形成されている。レンズ側爪部２０３は、光軸周りに略等しい間隔で、カメラ側爪部１０３と対応した数（本実施形態では３つ）設けられている。
【００２１】
レンズ側マウント基部２０２には、光軸Ａを中心とした円周上に矩形の隆起部として形成されたバネ受け部２０９が複数設けられている。このバネ受け部２０９は、上述したようにレンズ側爪部２０３とカメラ側爪部１０３とが掛合した状態で板バネ１０８のＺプラス側に突き出した部分と当接する（対応する板バネに押圧される）部分である。レンズ側爪部２０３とカメラ側爪部１０３とが掛合した状態において、レンズ側マウント基部２０２上の、バネ受け部２０９が設けられている部分以外の箇所は、板バネ１０８の自然状態においてその先端部と一定の距離離間しており、板バネ１０８の先端部と当接はしない。
【００２２】
バネ受け部２０９の数は、図３（ａ）に示す第１レンズ鏡筒２００Ａの場合は６個、図３（ｂ）に示す第２レンズ鏡筒２００Ｂの場合は３個である。ここで、第１レンズ鏡筒２００Ａ及び第２レンズ鏡筒２００Ｂについて説明する。
【００２３】
（１）重さ及び太さが等しく、鏡筒の長さのみ異なる２種類のレンズ鏡筒２００が存在する場合、長いレンズ鏡筒２００が第１レンズ鏡筒２００Ａで、短いレンズ鏡筒２００が第２レンズ鏡筒２００Ｂである。
【００２４】
その理由は、以下の通りである。
カメラ１００に取り付けた場合、長い第１レンズ鏡筒２００Ａの場合、レンズ鏡筒２００の重心はカメラ１００側から離れた点にくる。このため、レンズ鏡筒２００には、マウント部を中心としてカメラ１００に対して下方に傾くモーメントが大きくなる。すなわち、長い第１レンズ鏡筒２００Ａの場合に、ばね部１０４の付勢力が小さいと、カメラ１００を正位置に構えたときに、第１レンズ鏡筒２００Ａの先端が下に傾きやすい。これを防止するためには、板バネ１０８の付勢力を大きくする必要がある。一方、鏡筒の短い第２レンズ鏡筒２００Ｂにおいては、装着の際の容易さを考慮すると、むやみに付勢力を大きくする必要がない。
【００２５】
そこで、第１レンズ鏡筒２００Ａの場合、バネ受け部２０９を６箇所にして、バネ受け部２０９が３箇所の短い第２レンズ鏡筒２００Ｂの場合よりも付勢力が大きくなるようにする。これにより、第１レンズ鏡筒２００Ａにおいて第２レンズ鏡筒２００Ｂの２倍の付勢力を得ることができ、第１レンズ鏡筒２００Ａの傾きの度合いを低減することができ、また第２レンズ鏡筒２００Ｂの付勢力が必要以上に大きくなることもないからである。
【００２６】
（２）重さ及び長さが等しく、太さのみ異なる２種類のレンズ鏡筒２００が存在する場合、太いレンズ鏡筒２００が第１レンズ鏡筒２００Ａで、細いレンズ鏡筒２００が第２レンズ鏡筒２００Ｂである。
【００２７】
その理由は、以下の通りである。
レンズ鏡筒２００がカメラ１００に装着される場合、レンズ鏡筒２００はカメラ１００に対して回転される。太い第１レンズ鏡筒２００Ａの場合、径が大きいため、使用者がレンズ鏡筒２００を回転するとその回転力は光軸Ａから離れた箇所に作用する。一方、細い第２レンズ鏡筒２００Ｂの場合、径が小さいため、使用者が回転時に加える力は光軸Ａから近い箇所に作用する。すなわち、板バネ１０８の付勢力が等しい場合、第１レンズ鏡筒２００Ａでは着脱の際にレンズ鏡筒が回転しやすく、第２レンズ鏡筒２００Ｂにおいては回転しにくく感じる。
【００２８】
このため、第１レンズ鏡筒２００Ａとレンズ鏡筒２００Ｂとにおいて、交換レンズの着脱時に使用者に同じ感覚（力の感覚）で回転させるためには、第１レンズ鏡筒２００Ａの場合は付勢力を小さくし、第２レンズ鏡筒２００Ｂの場合は付勢力を大きくする必要がある。
【００２９】
そこで、太い第１レンズ鏡筒２００Ａの場合、バネ受け部２０９を６箇所にして、バネ受け部２０９が３箇所の細い第２レンズ鏡筒２００Ｂの場合よりも付勢力が大きくなるようにしている。これにより、第１レンズ鏡筒２００Ａにおいて第２レンズ鏡筒２００Ｂの２倍の付勢力を得ることができ、第１レンズ鏡筒２００Ａとレンズ鏡筒２００Ｂとにおける着脱の際の使用者における回転力の差を小さくすることができるからである。
【００３０】
（３）長さ及び太さが等しく、重さのみ異なる２種類のレンズ鏡筒２００が存在する場合、重いレンズ鏡筒２００が第１レンズ鏡筒２００Ａで、軽いレンズ鏡筒が第２レンズ鏡筒２００Ｂである。その理由は（１）と同様である。
【００３１】
次に、カメラ１００とレンズ鏡筒２００の装着動作について説明する。まず、カメラ１００とレンズ鏡筒２００とを光軸方向に相対移動させて近づけ、レンズ鏡筒２００のレンズ鏡筒２００とカメラ１００とを光軸周りに相対回転させ、レンズ側爪部２０３をカメラ１００のカメラ側爪部１０３とカメラ側マウント基部１０２との間に挿入させる。
【００３２】
このとき、図３（ａ）の第１レンズ鏡筒２００Ａの場合、バネ受け部２０９が６箇所設けられ、この６箇所でバネ部１０４のバネ付勢を受ける。また、図３（ｂ）の第２レンズ鏡筒２００Ｂの場合、３箇所でバネ部１０４のバネを受ける。したがって、図３（ａ）で示す第１レンズ鏡筒２００Ａの方が、より強い付勢力でカメラに対して固定される。
【００３３】
以上、第１実施形態によると以下の効果を有する。
（１）重さ及び太さが等しく、長さのみ異なる２種類のレンズ鏡筒２００が存在する場合に、第１レンズ鏡筒２００Ａを長いレンズ鏡筒とし、第２レンズ鏡筒２００Ｂを短いレンズ鏡筒とした場合、以下の効果を有する。
【００３４】
第１レンズ鏡筒２００Ａにおいて第２レンズ鏡筒２００Ｂの２倍の付勢力を得ることができ、鏡筒長の長い第１レンズ鏡筒２００Ａの傾きの度合いを低減することができ、且つ鏡筒長の短い第２レンズ鏡筒２００Ｂの付勢力が必要以上に大きくなることがない。すなわち、レンズ鏡筒の長さに対応した適切な付勢力を得ることができる。
【００３５】
（２）重さ及び長さが等しく、太さのみ異なる２種類のレンズ鏡筒２００が存在する場合に、第１レンズ鏡筒２００Ａを太いレンズ鏡筒とし、第２レンズ鏡筒２００Ｂを細いレンズ鏡筒とした場合、以下の効果を有する。
【００３６】
第１レンズ鏡筒２００Ａにおいて第２レンズ鏡筒２００Ｂの２倍の付勢力を得ることができ、第１レンズ鏡筒２００Ａとレンズ鏡筒２００Ｂとにおいて着脱の際に加える回転力の差を低減することができる。すなわち、レンズ鏡筒の太さ対応した適切な付勢力を得ることができる。
【００３７】
（３）長さ及び太さが等しく、重さのみ異なる２種類のレンズ鏡筒２００が存在する場合、第１レンズ鏡筒Ａを重いレンズ鏡筒とし、第２レンズ鏡筒２００Ｂを軽いレンズ鏡筒とした場合、以下の効果を有する。
【００３８】
第１レンズ鏡筒２００Ａにおいて第２レンズ鏡筒２００Ｂの２倍の付勢力を得ることができ、重い第１レンズ鏡筒２００Ａの傾きを低減することができ、且つ軽い第２レンズ鏡筒２００Ｂの付勢力が必要以上に大きくなることがない。なわち、レンズ鏡筒の重さ対応した適切な付勢力を得ることができる。
【００３９】
（第２実施形態）
第２実施形態において、カメラ１００の構成は第１実施形態と同様であるのでその説明は省略し、図において同一の符号を使用する。レンズ鏡筒３００が複数種類交換可能である点も同様である。レンズ鏡筒３００のレンズ側マウント部３０１の構成も第１実施形態の図３（ａ）と同様である。
【００４０】
図４は、マウント部におけるバネ部１０４が設けられた部分の拡大図である。第２実施形態が第１実施形態と異なる点は、図４に示すように、レンズ鏡筒３００の種類に対応してバネ受け部３０９の光軸Ａ方向の厚みが異なる点である。図４（ａ）は、バネ受け部３０９ａの光軸Ａ方向の厚みがｔ１の第１レンズ鏡筒３００Ａであり、図４（ｂ）は、バネ受け部３０９ｂの光軸Ａ方向の厚みがｔ２の第２レンズ鏡筒３００Ｂであり、ｔ１＞ｔ２である。
【００４１】
カメラ１００、及びレンズ側爪部とカメラ側爪部との掛合は第１実施形態と同様であり、図１に示すように爪部は掛合する。このとき、カメラ側爪部１０３のＺマイナス側のカメラ側マウント面１０３ａとレンズ側爪部のＺプラス側のレンズ側マウント面とが当接することでカメラ１００とレンズ鏡筒３００との光軸方向の位置は規定される。すなわち、バネ受け部３０９の厚みに関係なく、図４において、（ａ）、（ｂ）ともにカメラ側マウント基部１０２とレンズ側マウント基部３０２との相対的な位置関係は同じである。
【００４２】
板バネ１０８の自然状態が図４において点線で示す状態の場合、自然状態の場合、板バネ１０８の端部はレンズ側マウント基部３０２のＺマイナス面と接触せず、隙間ｔ０が存在する。
【００４３】
図４（ａ）に示すバネ受け部３０９ａの厚みが厚いｔ１の場合、板バネ１０８がバネ受け部３０９ａと当接すると、板バネ１０８はｔ１−ｔ０だけ収縮する。一方、図４（ｂ）に示すバネ受け部３０９ｂの厚みｔが薄いｔ２の場合、板バネ１０８はｔ２−ｔ０だけ収縮する。ｔ１＞ｔ２であるので、板バネ１０８の収縮の度合いは図４（ａ）の方が大きい。すなわち、板バネ１０８によって、図４（ａ）の第１レンズ鏡筒３００Ａの方が、図４（ｂ）の第２レンズ鏡筒３００Ｂよりも大きな力で付勢される。
【００４４】
第１レンズ鏡筒２００Ａ及び第２レンズ鏡筒２００Ｂは、第１実施形態と同様に以下のように決定される。
（１）重さ及び太さが等しく、長さのみ異なる２種類のレンズ鏡筒２００が存在する場合、長いレンズ鏡筒２００が第１レンズ鏡筒２００Ａで、短いレンズ鏡筒２００が第２レンズ鏡筒２００Ｂである。
（２）重さ及び長さが等しく、太さのみ異なる２種類のレンズ鏡筒２００が存在する場合、太いレンズ鏡筒２００が第１レンズ鏡筒２００Ａで、細いレンズ鏡筒２００が第２レンズ鏡筒２００Ｂである。
（３）長さ及び太さが等しく、重さのみ異なる２種類のレンズ鏡筒２００が存在する場合、重いレンズ鏡筒２００が第１レンズ鏡筒２００Ａで、軽いレンズ鏡筒が第２レンズ鏡筒２００Ｂである。
【００４５】
以上、第２実施形態によると、第１実施形態と同様に、第１レンズ鏡筒２００Ａにおいて第２レンズ鏡筒２００Ｂよりも大きな付勢力を得ることができ、レンズ鏡筒の長さ、太さ又は重さに対応した適切な付勢力を得ることができる。
【００４６】
（第３実施形態）
カメラの構成において第１実施形態と同様に部分の説明は省略する。第１実施形態と異なる点は、カメラ側マウント部４０１における板バネ４０８の配置である。図５はマウント部におけるバネ部４０４が設けられた部分の拡大図である。また、図６はカメラ側マウント部４０１の部分正面図（Zプラス側から見た図）である。
【００４７】
第３実施形態のカメラ側マウント部４０１と第１実施形態のカメラ側マウント部１０１との相違点は、バネ部４０４は、カメラ側マウント基部４０２において光軸Ａを中心とした円周上の３つの位置に、径方向に２つずつ並んで合計６個設けられている点である。外側となるバネ部４０４ａにおける板バネ４０８ａの端部（バネ受け部５０９ａと当接する部分）の光軸Ａとの距離はｒａである。内側に配置される板バネ４０８ｂの端部（バネ受け部５０９ｂと当接する部分）の光軸との距離はｒｂであり、ｒａ＞ｒｂである。そして、外側の板バネ４０８ａは厚い部材で製造されてバネ力は強く、内側の板バネ４０８ｂは薄い部材で製造されてバネ力は弱い。
【００４８】
また、図７は、レンズ側マウント部５０１の背面図（Zマイナス側から見た図）である。図７（ａ）及び図７（ｂ）は、カメラ４００に装着可能であり、互いに異なる第１レンズ鏡筒５００Ａ、第２レンズ鏡筒５００Ｂの背面図である。
【００４９】
第３実施形態のレンズ側マウント部５０１と第１実施形態のレンズ鏡筒２００Ｂのレンズ側マウント部２０１とは、略同様の構成で、光軸Ａを中心とした円周上の３つの位置にバネ受け部５０９が配置されている。第３実施形態が第１実施形態と異なる点は、レンズ鏡筒ごとに、バネ受け部５０９の径方向の位置が異なる点である。
【００５０】
図７（ａ）に示す第１レンズ鏡筒５００Ａは、バネ受け部５０９ａの光軸Ａからの距離はｒａである。図７（ｂ）に示す第２レンズ鏡筒５００Ｂは、バネ受け部５０９ｂの光軸Ａからの距離はｒｂである。このｒａは、上述した、カメラ４００のカメラ側マウント部４０１における外側の板バネ４０８ａの端部と光軸との間の距離と等しい。またｒｂは、上述した、カメラ４００のカメラ側マウント部４０１における内側の板バネ４０８ｂの端部と光軸との間の距離と等しい。
【００５１】
図５に示すようにレンズ鏡筒５００をカメラ４００に装着すると、第１レンズ鏡筒５００Ａの場合、板バネ４０８ａがバネ受け部５０９ａと当接し、図５（ａ）に示すように外側のバネ力の強い板バネ４０８ａで付勢される。また、第２レンズ鏡筒５００Ｂの場合、板バネ４０８ｂがバネ受け部５０９ｂと当接し、図５（ｂ）に示すように外側のバネ力の強い板バネ４０８ｂで付勢される。すなわち第１レンズ鏡筒５００Ａは強い力で付勢され、第２レンズ鏡筒５００Ｂは弱い力で付勢される。なお、どのようなレンズ鏡筒が第１レンズ鏡筒５００Ａ及び第２レンズ鏡筒５００Ｂであるかについては、第１実施形態及び第２実施形態と同様である。
【００５２】
以上、第３実施形態によると、第１実施形態及び第２実施形態と同様に、第１レンズ鏡筒５００Ａにおいて第２レンズ鏡筒５００Ｂよりも大きな付勢力を得ることができ、レンズ鏡筒の長さ、太さ又は重さに対応した適切な付勢力を得ることができる。
【００５３】
（変形形態）
以上、説明した実施形態に限定されることなく、以下に示すような種々の変形や変更が可能であり、それらも本発明の範囲内である。
【００５４】
（１）第１実施形態では、バネ部１０４を６個とし、バネ受け部２０９を６個又は３個としたが、これに限定されない。例えば、バネ部１０４を４個とし、バネ受け部２０９を４個又は２個としてもよく、また、バネ部１０４を８個とし、バネ受け部２０９を８個、４個、又は２個としてもよい。
（２）第１〜第３実施形態でカメラ側爪部及びレンズ側爪部を３個としたがこれに限定されない。それ以上でもそれ以下でもよい。
（３）本実施形態ではバネ部における付勢部材を板バネとしたがこれに限定されない。例えばコイル状のバネであってもよい。
（４）第３実施形態では、付勢力に差をつけるために、外側の板バネの付勢力を大きくし、内側の板バネの付勢力を小さくしたが本発明はこれに限定されない。例えば、外側の板バネの付勢力を小さくすることもできる。
なお、実施形態及び変形形態は、適宜組み合わせて用いることもできるが、詳細な説明は省略する。また、本発明は以上説明した実施形態によって限定されることはない。
【図面の簡単な説明】
【００５５】
【図１】本発明の第１実施形態のカメラシステムのマウント部の断面図である。本
【図２】第１実施形態のカメラ側マウント部の部分正面図である。
【図３】第１実施形態のレンズ側マウント部の背面図であり、（ａ）及び（ｂ）は互いに異なるレンズ鏡筒である。
【図４】第２実施形態のマウント部におけるバネ部が設けられた部分の拡大図である。
【図５】第３実施形態のマウント部におけるバネ部が設けられた部分の拡大図である。
【図６】第３実施形態のカメラ側マウント部の部分正面図である。
【図７】第３実施形態のレンズ側マウント部の背面図であり、（ａ）及び（ｂ）は、互いに異なるレンズ鏡筒である。
【符号の説明】
【００５６】
１：カメラシステム、１００，４００：カメラ、１０８，４０８：板バネ、１０３，４０３：カメラ側爪部、２００，３００，５００:レンズ鏡筒、２０３，５０３：レンズ側爪部
【図１】
2010066580.tif 000003
【図２】
2010066580.tif 000004
【図３】
2010066580.tif 000005
【図４】
2010066580.tif 000006
【図５】
2010066580.tif 000007
【図６】
2010066580.tif 000008
【図７】
2010066580.tif 000009